(57)【要約】【課題】ケース内の回路基板と液圧ブロックなどに組み込まれた電気部品との電気接続を、部品数の増加や接続スペースの増加を抑えて簡単に行えるようにする。【解決手段】ケース４に収容された回路基板５とケースの取り付け相手（液圧ブロック１）に組み付けられた電気部品３を、前記ケース４に固定されて一端が回路基板５上の電気回路に接続されたバスバー６と、そのバスバーと電気部品３に設けられた電極３ａとの間に圧縮介在されるスプリング７とを介して電気的に導通させ、スプリング７に設けた被保持部７ａを前記バスバー６に一体的に形成されたスプリング保持部６ｂで保持した。【選択図】図１
2013145736.tif 000002
【特許請求の範囲】
【請求項１】
ケース（４）に収容された回路基板（５）とケースの取り付け相手に組み付けられた電気部品（３）を、前記ケース（４）に固定されて一端が回路基板（５）上の電気回路に接続されたバスバー（６）と、そのバスバーと前記電気部品（３）に設けられた電極（３ａ）との間に圧縮介在されるスプリング（７）とを介して電気的に導通させ、前記スプリング（７）に設けた被保持部（７ａ）を前記バスバー（６）に一体的に形成されたスプリング保持部(６ａ）で保持した回路基板と電気部品との電気接続構造。
【請求項２】
前記バスバーのスプリング保持部（６ａ）の先端に、前記スプリング（７）の内周との間に隙間の生じる案内部（６ｂ）を延設した請求項１に記載の回路基板と電気部品との電気接続構造。
【請求項３】
前記スプリング（７）によって前記電極（３ａ）に押し付けられて当該スプリングと電極を電気的に導通させる導電部材（９）を含ませ、その導電部材（９）に、前記スプリング（７）の外周に配置されて当該スプリングを介して前記バスバー（６）の案内部（６ｂ）にガイドされる被案内部（９ａ）を備えさせた請求項２に記載の回路基板と電気部品との電気接続構造。
【請求項４】
前記導電部材（９）で前記スプリング（７）の電極側端末部を保持した請求項３に記載の回路基板と電気部品との電気接続構造。
【請求項５】
前記スプリング（７）としてコイルスプリングを採用し、そのコイルスプリングの前記導電部材（９）による電極側端末部の保持を圧入によって行った請求項４に記載の回路基板と電気部品との電気接続構造。
【請求項６】
前記導電部材（９）を、前記スプリング（７）によって前記電極（３ａ）に押し当てられる底壁（９ｂ）と、その底壁から前記回路基板（５）側に突出して設けられて圧入によって生じる弾性復元力で前記スプリング（７）の前記電極側端末部を挟持する前記底壁（９ｂ）と一体の複数の保持片（９ｃ）と、前記スプリング（７）の外周に接触可能な被案内面を備えた前記被案内部（９ａ）とで構成し、前記被案内部（９ａ）と前記保持片（９ｃ）を互いに離間させ、前記被案内部（９ａ）の基端（Ｅ）を前記保持片（９ｃ）を避けた位置で前記底壁（９ｂ）に連ならせた請求項５に記載の回路基板と電気部品との電気接続構造。
【請求項７】
前記被案内部（９ａ）が前記底壁（９ｂ）から前記回路基板（５）側に延びだし、その延びだし量よりも前記保持片（９ｃ）の突出量を小さくした請求項６に記載の回路基板と電気部品との電気接続構造。
【請求項８】
前記被案内部（９ａ）の前記保持片（９ｃ）よりも前記回路基板（５）側に延びだした部分の幅を、隣り合う保持片（９ｃ）間に配置される基端側の幅よりも広くした請求項７に記載の回路基板と電気部品との電気接続構造。
【請求項９】
前記導電部材（９）に、前記被案内部（９ａ）の壁の内面から外面に至る液体排出路（９ｄ）を設けた請求項３〜８のいずれか１項に記載の回路基板と電気部品との電気接続構造。
【請求項１０】
前記導電部材（９）の前記電極に対する接触面を球面にした請求項３〜９のいずれか１項に記載の回路基板と電気部品との電気接続構造。
【請求項１１】
前記バスバー（６）の他端に前記電気部品（３）に向けて延びだす凸部を設け、その凸部を前記スプリング保持部（６ａ）とし、その凸部を前記スプリング（７）に嵌合してバスバー（６）によるスプリング（７）の保持を行った請求項１〜１０のいずれかに記載の回路基板と電気部品との電気接続構造。
【請求項１２】
前記スプリング（７）がコイルスプリングであり、そのコイルスプリングのバスバー側端末部に前記被保持部（７ａ）を設け、その被保持部（７ａ）に前記スプリング保持部（６ａ）を圧入してそのスプリング保持部（６ａ）の外周に前記被保持部（７ａ）を固定した請求項１〜１０のいずれかに記載の回路基板と電気部品との電気接続構造。
【請求項１３】
前記スプリング（７）がコイルスプリングであり、そのコイルスプリングのバスバー側端末部に密着巻き部を形成し、その密着巻き部を前記被保持部（７ａ）となした請求項１〜１２のいずれかに記載の回路基板と電気部品との電気接続構造。
【請求項１４】
前記バスバーのスプリング保持部（６ａ）の先端に、前記スプリング（７）の内周との間に隙間の生じる案内部（６ｂ）を延設し、さらに、前記スプリング（７）としてバスバー側端末部に前記被保持部（７ａ）を設けたコイルスプリングを採用し、そのコイルスプリングの電極側端末部に、前記ケース（４）が前記取り付け相手に取り付けられた状態で前記案内部（６ｂ）の先端と部分的に位置のオーバラップする密着巻き部（７ｂ）を形成した請求項２〜１３のいずれかに記載の回路基板と電気部品との電気接続構造。
【請求項１５】
前記電極側端末部の密着巻き部（７ｂ）を前記スプリングのバスバー側端末部の被保持部（７ａ）と同一形状にした請求項１４に記載の回路基板と電気部品との電気接続構造。
【請求項１６】
バスバー側端末部に被保持部（７ａ）を設けたコイル形状のスプリング（７）を、内部にスプリング受け面（８ａ）を有する筒状組み付け治具（８）の穴に挿入してその筒状組み付け治具（８）で保持し、この状態で、筒状組み付け治具（８）とケース(４）に固定されたバスバー（６）とを相対的に接近させてバスバー（６）に一体に形成されたスプリング保持部（６ａ）を前記スプリング（７）のバスバー側端末部に形成された被保持部（７ａ）の内側に圧入し、その工程を経た後、回路基板（５）を収容した前記ケース（４）を取り付け相手に取り付け、前記スプリング（７）を前記バスバー（６）と取り付け相手に組み付けられている電気部品（３）の電極（３ａ）との間に圧縮介在して前記電気部品（３）を回路基板（５）上の電気回路に導通させる回路基板と電気部品との電気接続方法。
【請求項１７】
バスバー（６）の案内部（６ｂ）にガイドされる被案内部（９ａ）と、スプリング（７）の電極側端末部を保持する保持片（９ｃ）とを有する導電部材（９）を、内部に部材受け面（１０ａ）を有する筒状組み付け治具（１０）の穴に挿入してその筒状組み付け治具（１０）で保持し、この状態で、前記導電部材（９）の内側に、バスバー側端末部に被保持部（７ａ）を設けたコイル形状のスプリング（７）を挿入し、導電部材（９）から突出した前記スプリング（７）のバスバー側端末部を、そのバスバー側端末部が外嵌される押し込み治具（１１）でスプリングが圧縮される方向に押圧して前記スプリング（７）の電極側端末部を前記導電部材（９）の前記保持片（９ｃ）間に圧入し、次いで、押し込み治具（１１）に代えてケース(４）に固定されたバスバー（６）を前記スプリング（７）のバスバー側端末部側に挿入し、その後、筒状組み付け治具（１０）とケース（４）に固定されたバスバー（６）とを相対的に接近させてバスバー（６）に一体に形成されたスプリング保持部（６ａ）を前記スプリング（７）のバスバー側端末部に形成された被保持部（７ａ）の内側に圧入し、その工程を経た後、回路基板（５）を収容した前記ケース（４）を取り付け相手に取り付け、前記スプリング（７）で前記導電部材（９）を取り付け相手に組み付けられている電気部品（３）の電極（３ａ）に押し当てて前記スプリング（７）及び前記導電部材（９）経由で前記電気部品（３）を回路基板（５）上の電気回路に導通させる回路基板と電気部品との電気接続方法。
【発明の詳細な説明】
【技術分野】
【０００１】
この発明は、ケースに収容された回路基板とケースの取付け相手に組み付けられた電気部品との電気接続を、部品数の増加や基板面積の増加を抑えて簡単に行える電気接続構造と電気接続方法に関する。
【背景技術】
【０００２】
ＥＳＣ（横滑り防止制御）やＡＢＳ（アンチロック制御）あるいはＥＨＢ｛電子制御液圧ブレーキ（液圧を電子制御するブレーキシステム又はその制御）｝の機能を備えた既知の車両用ブレーキ液圧制御装置は、電磁弁など液圧を電気的に調整する部品を内蔵する液圧ブロックと、回路基板の収容されたケースを組み合わせて構成されている。
【０００３】
この種の装置では、液圧ブロックに組み付けられた回路切り換え用の電磁弁や液圧センサ等を回路基板の必要箇所に電気的に接続する必要があり、その接続を簡単に行うための種々の工夫がなされている。
【０００４】
その電気接続法のひとつに、下記特許文献１に開示された構造がある。同文献に記載されたブレーキ装置は、液圧ブロック（弁ブロック）に組み込まれた圧力センサと回路基板との間に異形コイルばねを介在し、その異形コイルばねを介して圧力センサと回路基板にそれぞれ形成された電極パッドを電気的に導通させている。
【０００５】
また、異形コイルばねは、ケースに設けた異形穴に挿入し、ケースと回路基板間にそのばねの大径部を挟んで保持している。このように、通電電流値のあまり大きくない圧力センサなどは、コイルばねを導電材にして回路基板上の回路に電気的に接続することができる。
【先行技術文献】
【特許文献】
【０００６】
【特許文献１】特表２００３−５３２５８４号公報
【発明の概要】
【発明が解決しようとする課題】
【０００７】
上記特許文献１の電気接続構造では、回路基板に形成するコイルばね接触用の電極パッドを、接続相手の電気部品（圧力センサなど）に形成されている電極と対応する位置に設ける必要があり、回路基板に対する素子のレイアウトに制約が生じる。
【０００８】
例えば、電気部品の電極と対応した位置に他の素子を搭載することで回路基板を面積効率の面で望ましいものとなし得る場合にも、電気部品の電極パッドと対応した位置にはコイルばね接触のための電極パッドを形成せざるを得ないため、望ましいレイアウトの採用を断念せざるを得ない。そのために、回路基板のさらなる小型化の要求に応えられないケースが生じてくる。
【０００９】
また、電気部品の電極と対応した電極をケースなどに形成し、その電極を回路基板上の電気回路に接続して電気部品の電極とケースなどに形成した電極間を特許文献１が開示しているような方法で接続しようとすると、部品数や製造の手間が増えてコストアップにつながる。
【００１０】
この発明は、上記の不具合を解消すること、具体的には、ケース内の回路基板と液圧ブロックなどに組み込まれた電気部品との電気接続を、部品数の増加や基板面積の増加を抑えて簡単に行えるようにすることを目的としている。
【課題を解決するための手段】
【００１１】
上記の課題を解決するため、この発明においては、ケースに収容された回路基板とケースの取り付け相手に組み付けられた電気部品を、前記ケースに固定されて一端が回路基板上の電気回路に接続されたバスバーと、そのバスバーと前記電気部品に対応して設けられた電極間に圧縮介在されるスプリングとを介して電気的に導通させ、前記スプリングに設けた被保持部を前記バスバーに一体的に形成されたスプリング保持部で保持した。
【００１２】
かかる電気接続構造の好ましい形態を以下に列挙する。
１）前記バスバーのスプリング保持部の先端に、前記スプリングの内周との間に隙間の生じる案内部を延設する。
【００１３】
２）前記スプリングによって前記電極に押し付けられて当該スプリングと電極を電気的に導通させる導電部材を含ませ、その導電部材に、前記スプリングの外周に配置されて当該スプリングを介して前記バスバーに延設された案内部にガイドされる被案内部を備えさせる。
【００１４】
３）前記導電部材で前記スプリングの電極側の端末部を保持する。
【００１５】
４）前記スプリングとしてコイルスプリングを採用し、そのコイルスプリングの前記導電部材による電極側端末部の保持を圧入によって行う。
【００１６】
５）前記導電部材が、前記スプリングによって前記電極に押し当てられる底壁と、その底壁から前記回路基板側に突出して設けられて圧入によって生じる弾性復元力で前記スプリングの前記電極側端末部を挟持する前記底壁と一体の複数の保持片と、前記スプリングの外周に接触可能な被案内面を備えている前記被案内部とからなり、前記被案内部と前記保持片を互いに離間させ、前記被案内部の基端を前記保持片を避けた位置で前記底壁に連ならせる。
【００１７】
６）前記被案内部を前記底壁から前記回路基板側に延びださせ、その延びだし量よりも前記保持片の突出量を小さくする。
【００１８】
７）前記被案内部の、前記保持片よりも前記回路基板側に延びだした部分の幅を、隣り合う保持片間に配置される基端側の幅よりも広くする。
【００１９】
８）前記導電部材に、前記被案内部の壁の内面から外面に至る液体排出路を設ける。
【００２０】
９）前記導電部材の前記電極に対する接触面を球面にする。
【００２１】
１０）前記バスバーの他端に前記電気部品に向けて延びだす凸部を設け、その凸部を前記スプリング保持部とし、その凸部を前記スプリングに嵌合してバスバーによるスプリングの保持を行う。
【００２２】
１１）前記スプリングがコイルスプリングであり、そのコイルスプリングのバスバー側端末部に前記被保持部を設け、その被保持部に前記スプリング保持部を圧入してそのスプリング保持部の外周に前記被保持部を固定する。
【００２３】
１２）前記スプリングがコイルスプリングであり、そのコイルスプリングのバスバー側端末部に密着巻き部を形成し、その密着巻き部を前記被保持部となす。
【００２４】
１３）前記スプリングとしてバスバー側端末部に前記被保持部を設けたコイルスプリングを採用し、そのコイルスプリングの電極側端末部に、前記ケースが前記取り付け相手に取り付けられた状態で前記案内部の先端と部分的に位置のオーバラップする密着巻き部を形成する。
【００２５】
１４）前記コイルスプリングの電極側端末部の密着巻き部を前記バスバー側端末部の被保持部と同一形状にする。
【００２６】
なお、導体として使用するスプリングを電気部品の電極に直接接触させるものは、内部にスプリング受け面を有する筒状組み付け治具の穴に挿入してその筒状組み付け治具で保持し、この状態で、筒状組み付け治具と前記バスバーとを相対的に接近させてバスバーの他端側をスプリングの被保持部の内側に圧入する方法でバスバーに取り付けると、圧入作業の機械化が計れる。
【００２７】
前記導電部材を設け、その導電部材を前記スプリングで電気部品の電極に押し当ててスプリングと導電部材経由でバスバーと電気部品の電極間の電気導通を得るものも、以下に記す方法を採ると圧入作業の機械化が計れる。
【００２８】
その方法では、バスバーの案内部にガイドされる被案内部と、前記スプリングの電極側端末部を保持する保持片とを有する前記導電部材を、内部に部材受け面を有する筒状組み付け治具の穴に挿入してその筒状組み付け治具で保持し、この状態で、前記導電部材の内側に、バスバー側端末部に被保持部を設けたコイル形状のスプリングを挿入する。
【００２９】
さらに、導電部材から突出した前記スプリングのバスバー側端末部を、そのバスバー側端末部が外嵌される押し込み治具でスプリングが圧縮される方向に押圧して前記スプリングの電極側端末部を前記導電部材の前記保持片間に圧入し、次いで、押し込み治具に代えてケースに固定されたバスバーを前記スプリングのバスバー側端末の被保持部に挿入し、その後、筒状組み付け治具とケースに固定されたバスバーとを相対的に接近させてバスバーに一体に形成されたスプリング保持部を前記スプリングのバスバー側端末部に形成された被保持部の内側に圧入する。
【００３０】
この発明は、上記の工程を経た後に、ケースを取り付け相手に取り付けて前記スプリングを前記バスバーと前記電気部品の電極パッドとの間に圧縮介在する回路基板と電気部品との電気接続方法も併せて提供する。
【発明の効果】
【００３１】
この発明の電気接続構造は、回路基板との電気接続にバスバーを採用したので、電気部品側の電極に対応させたスプリング接触用の電極を回路基板に形成する必要がない。従って、回路基板に対する素子類のレイアウト規制が緩和され、回路基板の電気部品と対応した位置に他の回路構成素子などを搭載することが可能になる。これにより、回路基板のさらなる小型化を計ることも可能になる。
【００３２】
また、電気接続用スプリングの保持をバスバーに一体的に形成されたスプリング保持部で行うので、回路基板を収容したケースを取り付け相手に対して着脱するときにスプリングをケースで間接的に保持してケースと一体に取り扱うことができ、ケース着脱の作業性が向上する。
【００３３】
さらに、スプリングの保持をバスバーで行ったことにより、部品数の増加、製造の手間の増加が回避され、コスト低減、保持部の構造の簡素化、組立ての簡素化も図れるようになる。
【００３４】
なお、バスバーのスプリング保持部の先端に前記案内部を延設したものは、コイルばねの電極側部分のコイル径方向変位が案内部によって防止され、コイルばねの電極に対する接触が確実になる。
【００３５】
また、前記導電部材を含ませて前記スプリングと電極との間の電気導通を、その導電部材経由で行うものは、バスバーの案内部による案内効果で導電部材の位置ずれが抑制され、そのために、電極に対する導電部材の接触が安定して導通不良が生じ難い。
【００３６】
さらに、その導電部材で前記スプリングの電極側端末部を保持するものは、バスバーとスプリングと導電部材の３者が互いに連結され、部品数と製造の手間が削減されてコストが低減されるほか、バスバーを設けたケースが取り付け相手に取り付けられる前の状態のときにもスプリングと導電部材の落下が起こらず、電気接続部の組立てが容易になる。
【００３７】
このほか、スプリングとしてコイルスプリングを用いて前記導電部材による当該コイルスプリングの保持を圧入によって行うものは、導電部材の構造が複雑にならない。
【００３８】
また、前記導電部材が、電極に押し当てられる底壁と、前記スプリングの電極側端末部を挟持する保持片と、前記スプリングの外周に接触可能な被案内部を備えて構成されるものは、所要形状に打ち抜かれた板材をプレス機で曲げ加工する方法や、深絞り加工で有底筒状体を形成した後にその筒状体の一部を内側に切り起して前記保持片を生じさせるといった簡単な方法で導電部材を製造することができる。
【００３９】
これに加え、保持片と被案内部を離間させたので、組付時又はどちらか一方を加工するときに他方の及ぼす寸法上の影響が小さくなる。例えば、加工時には、保持片には圧入のための適正な寸法を、被案内部には、バスバーの案内部の大きさに適合した寸法をそれぞれ付与することができ、高寸法精度の確保と、寸法管理の容易化が図れる。
【００４０】
被案内部を深絞り加工で筒状に仕上げるものは特に、曲げ加工で不可避のスプリングバックの問題が起らず、高寸法精度を確保しやすい。
【００４１】
また、前記導電部材の前記電極に対する接触面を球面にしたものは、電極に対する導電部材の接触点が目標位置からずれても点接触の状態が維持され、接触状態の変化が抑制されて電気導通状態がより安定する。また、接触面が球面であると、電極に対する接触点が球面の中ほどの一部に限られるため、例えば接触面を平面にしたものと比較して、電極が複数近接して配置されている場合に、導電部材が目標位置からずれても、隣接する他の電極に接触してしまうような事態が生じ難い。
【００４２】
前記被案内部の回路基板側への延びだし量よりも前記保持片の突出量を小さくしたものは、突出量の大きなものに比べるとスプリングの圧入代のばらつきを小さく抑えることが可能であり、スプリングの伸縮特性を安定させる効果を期待できる。
【００４３】
また、前記被案内部の、回路基板側に延びだした部分の幅を隣り合う保持片間に配置される基端側の幅よりも広くしたものは、スプリングを介してバスバーにガイドされる領域の面積が広がってバスバーによる案内の信頼性が増す。
【００４４】
導電部材には、電気抵抗が小さく耐食性にも優れる金メッキなどを施すのがよく、その導電部材に前記液体排出路を設けたものは、メッキ処理の工程において導電部材の内部に導入されたメッキ液の排出が良好になされる。
【００４５】
なお、前記スプリングがコイルスプリングであると、スプリングの設置スペースが少なくて済み、バスバーのスプリング保持部の圧入や電極に対するスプリングや導電部材の接触圧の管理などもし易い。
【００４６】
また、そのコイルスプリングのバスバー側端末部に密着巻き部を形成し、その密着巻き部を被保持部にしてバスバーに固定するものは、バスバーのスプリング保持部の外周に抱きついたコイルスプリングの被保持部の伸縮が起こらないため、コイルスプリングの電極への接触圧（ばね荷重）が安定し、コイルスプリングの電極との接触部における電気抵抗値のばらつきが小さく抑えられる。
【００４７】
コイルスプリングの電極側端末部に、前記ケースが取り付け相手に取り付けられた状態で前記案内部の先端と部分的に位置のオーバラップする密着巻き部を形成したものは、前記案内部によるコイルばねの電極側端末部のコイル径方向変位の防止がより安定してなされ、前記導電部材がなくてもコイルばねと電気部品との電気接続の安定化の効果が高まる。
【００４８】
このほか、コイルスプリングの電極側端末部に密着巻き部を設け、その密着巻き部をコイルスプリングのバスバー側端末部の被保持部と同一形状にしたものは、コイルスプリングの方向性が無くなって組み付けミスが防止される。
【図面の簡単な説明】
【００４９】
【図１】この発明の電気接続構造を採用した車両用液圧制御装置の一部を示す断面図
【図２】電気部品として設けた圧力センサを示す斜視図
【図３】バスバーの形状の一例を示す斜視図
【図４】バスバーの形状の他の例を示す斜視図
【図５】スプリングによる電気接続部の断面図
【図６】バスバーに対するスプリングの取り付け方法の一例を示す図
【図７】この発明の電気接続構造の他の例を示す断面図
【図８】図７の電気接続構造に採用した導電部材の斜視図
【図９】図８の導電部材の正面図
【図１０】図８の導電部材の側面図
【図１１】図１０のＸ−Ｘ線に沿った断面図
【図１２】図８の導電部材の展開図
【図１３】導電部材の他の例を示す斜視図
【図１４】（ａ）、（ｂ）：バスバーとスプリングと導電部材の３者の組み付け方法を示す工程図
【発明を実施するための形態】
【００５０】
以下、添付図面の図１〜図１４に基づいて、この発明の電気接続構造の実施の形態を説明する。この発明の電気接続構造を採用した車両用液圧制御装置の一部を図１に示す。例示の車両用液圧制装置は、液圧ブロック１と、その液圧ブロック１に組み付けられたポンプ駆動用のモータ（図示せず）や液圧制御用の電磁弁（これも図示せず）を制御する電子制御ユニット２を組み合わせてなる。
【００５１】
液圧ブロック１には、上端に電気接続用の電極３ａを有する電気部品（図のそれは圧力センサ）３が組み込まれている。電極３ａは、図２に示すように、ひとつの電気部品３に対して陰極と陽極の２個が設けられている。両電極の電気回路に対する電気接続は同一構造の接続部で行えるので、以下の説明は片方の接続部について行う。なお、電極は３個以上設けられていてもよい。
【００５２】
電子制御ユニット２は、樹脂で形成されたケース４に回路基板５を収容してなる。ケース４は、液圧ブロック１にボルトなどを用いて締結される。このケース４にはバスバー６が固定されている。
【００５３】
そのバスバー６は、電気部品３の電極（電極パッド）３ａと対応しない位置で一端が回路基板５上の電気回路（図示せず）に電気的に接続されている。このバスバー６の他端には、スプリング保持部となすスプリング保持部（凸部）６ａを電気部品３に向けて延びださせて設けている。
【００５４】
スプリング保持部６ａは、スプリングの組み付け性や、組み付けたスプリングの位置ずれ防止を考慮した形状にするのがよい。その意味からは図３に示す丸断面が好ましいが、図４に示すような角断面の凸部であっても差し支えない。また、このスプリング保持部６ａは、スプリングを外嵌して嵌合させる凸部であってもよく、スプリングを圧入する凸部に限定されない。
【００５５】
図５に詳細に示すように、電気部品の電極３ａとバスバー６との間にはスプリング７を圧縮介在しており、そのスプリング７を介して電極３ａとバスバー６が電気的に導通し、これにより、電気部品３と回路基板５上の電気回路がスプリング７とバスバー６を経由して電気的につながっている。
【００５６】
図示のスプリング７は、外径が全長にわたって一定したコイルスプリングであって、バスバー側端末部に被保持部７ａを有する。その被保持部７ａの内側にバスバー６のスプリング保持部６ａが圧入されてそのスプリング保持部６ａの外周にコイルスプリングの被保持部７ａが固定されている。これにより、ケース４を取り付け相手の液圧ブロック１に対して着脱するときにスプリング７をケース４と一体に取り扱うことが可能になっている。
【００５７】
図示のスプリングの被保持部７ａは、軸方向圧縮代のない所謂密着巻き部によって構成されている。その密着巻き部によって構成された被保持部７ａを設けると、スプリング７を圧縮したときの荷重（弾性復元力）が安定するが、被保持部７ａはスプリング保持部６ａで保持できるものであればよく、密着巻きされた被保持部は好ましい形態に過ぎない。
【００５８】
バスバー６は、スプリング保持部６ａの先端にコイルを案内する案内部６ｂが延設されたものを用いている。案内部６ｂは、スプリング７の内径との間に隙間の生じる大きさになっており、スプリング７の電極に近い部分が上記隙間の範囲を超えてコイル径方向に変位することを阻止する。
【００５９】
スプリング７の長さをＬ、直径をＤとして両者の比Ｌ／Ｄが大きくなるとスプリング７が横向きに撓んでコイル径方向に変位しやすくなる。案内部６ｂはその変位を防止してスプリング７の電極側端末部を電極３ａに確実に接触させる働きをする。これにより、導通不良や短絡が防止される。
【００６０】
なお、図３ではその案内部６ｂの断面を真四角にしているが、その案内部の断面は長方形や四角形以外の多角形、或いは丸であってもよい。
【００６１】
スプリング７は、電極側端末部に密着巻き部７ｂを形成したものを用いている。その電極側端末部の密着巻き部７ｂは、ケース４が取り付け相手の液圧ブロック１に取り付けられた状態（スプリング７が使用状態まで圧縮された図５の状態）で案内部６ｂの先端と部分的に位置のオーバラップするようにその長さと位置が調節されている。これにより、案内部６ｂによるスプリング７のコイル径方向変位の抑制がより安定してなされる。
【００６２】
このほか、電極側端末部の密着巻き部７ｂは、被保持部７ａを構成するバスバー側端末部の密着巻き部と同一形状にしており、これにより、スプリング７が、方向性がなくて取り付けミスの起こらないものになっている。
【００６３】
スプリングの被保持部７ａに対するバスバーのスプリング保持部６ａの圧入は、手作業のほかに、図６に示す方法でも行える。図６の方法は、スプリング７を、内部にスプリング受け面８ａを有する筒状組み付け治具８の穴に挿入してその筒状組み付け治具８で保持する｛図６（ａ）｝。そして、この状態で、筒状組み付け治具８とケース４に保持されたバスバー６を相対的に接近させ、バスバー６の他端側のスプリング保持部６ａをスプリングの被保持部７ａの内側に圧入する｛図６（ｂ）｝。その後、筒状組み付け治具８とバスバー６を離反させてスプリング７をバスバー６に取り付ける｛図６（ｃ）｝。
【００６４】
この方法を採用すると、圧入作業の機械化が計れる。その工程を経た後に、ケース４を液圧ブロック１に組みつけてスプリング７をバスバー６と電気部品の電極３ａとの間に圧縮介在することで、電気部品３と回路基板５上の電気回路を簡単に導通させることができる。
【００６５】
次に、バスバーと電気部品の電極との電気接続を、スプリングと導電部材の２者を介して行う構造の具体例を、添付図面の図７〜図１３に基づいて説明する。
【００６６】
図７は、図１の電気接続構造に対してキャップ状に成形された導電部材９を追設したものである。その導電部材９を除く他の要素は、図１の電気接続構造と同じであるので、ここでの説明は、導電部材９についてのみ行う。
【００６７】
導電部材９は、スプリング７によって電気部品３の電極３ａに押し付けられ、スプリング７と電極３ａを電気的に導通させる。この導電部材９は、図８〜図１１に示すように、バスバー６の案内部６ｂにガイドされる被案内部９ａを有する。その被案内部９ａは、スプリング７の外周に接触可能な被案内面（内周面がその被案内面）を備えており、バスバーの案内部による案内効果で導電部材の位置ずれが抑制され、そのために、電極に対する導電部材の接触が安定し、接触不良による導通不良が生じ難い。
【００６８】
また、導電部材９は、スプリング７によって電極３ａに押し当てられる底壁９ｂと、その底壁から回路基板５側に突出して設けられて圧入によって生じる弾性復元力でスプリング７の電極３ａ側の端末部を挟持する複数の底壁９ｂと一体の保持片９ｃを有する。底壁９ｂは、電極３ａに対する接触面が球面に成形されており、電極３ａに対して点に近い形で接触する。そのために、電極３ａに対する接触点がバスバー中心の延長上から仮にずれても接触状態の変動が殆ど起こらない。
【００６９】
被案内部９ａと保持片９ｃは互いに離間させており、保持片９ｃを避けた位置で被案内部９ａの基端Ｅが底壁９ｂに連なっている。保持片９ｃは、スプリング７の外周に対して締代が生じるように、突端近辺の内径を内側に絞り込んでスプリング７の外径よりも小さくしており、その複数の保持片９ｃが、それらの保持片間に圧入されるスプリング７の電極側端末部を圧入によって生じる弾性復元力で挟持する。そのために、導電部材９の構造が複雑にならない。
【００７０】
また、ケース４が取り付け相手に取り付けられる前の状態のときにもバスバー６とスプリング７と導電部材９が一体になって取り扱われ、電気接続部の組立てが容易になる。
【００７１】
被案内部９ａは、底壁９ｂから回路基板５側に延びだしており、その延びだし量よりも保持片９ｃの突出量が小さい。そのために、スプリングの圧入代のばらつきが小さく抑えられ、スプリング７の伸縮特性を安定させやすくなっている。
【００７２】
また、被案内部９ａは、保持片９ｃよりも回路基板側に延びだした部分の幅が隣り合う保持片間に配置される基端Ｅ側の幅よりも広くなっており、バスバーによるスプリングを介しての案内が安定してなされる。
【００７３】
なお、図８〜図１１に示した導電部材９は、図１２に示すような形に打ち抜かれた銅板などの板材Ａをプレス機を用いて曲げ加工し、その際に被案内部９ａを筒状に、底壁９ｂを球状にそれぞれ成形して作られており、加工性に優れる。
【００７４】
また、この構造は、被案内部９ａを縦に割るスリットを生じさせてそのスリットを液体排出路９ｄとして利用することができ、成形加工した導電部材９に金メッキなどを施すときにメッキ液が導電部材９の内部に残留することがなくなる。そのために、残留メッキ液によるスプリングや導電部材の変質などの懸念を無くすことができる。
【００７５】
なお、導電部材９は、図１３に示すような形状であってもよい。図１３の導電部材９は、素材板を深絞り加工し、その後、得られた有底筒状部品の一部を内側に切り起して保持片９ｃを生じさせる方法で製造される。この構造は、被案内部９ａが円筒状に成形されるため、成形時のスプリングバックが起こらず、被案内部９ａの寸法精度を高め易い。
【００７６】
この図１３の導電部材９も、保持片９ｃの切り起すために有底筒状部品に設ける切抜き穴を大きくすることで、その切抜き穴を液体排出路９ｄとして機能させて導電部材９の内部におけるメッキ液の残留を防止することができる。
【００７７】
バスバー６とスプリング７と導電部材９を一体的に組み付ける方法の具体例を図１４に示す。図１４（ａ）に示すように、導電部材９を、内部に部材受け面１０ａを有する筒状組み付け治具１０の穴に挿入し、この状態で、導電部材９の内側に、スプリング７を挿入する。そして、導電部材９から突出したスプリング７のバスバー側端末部側を、そのバスバー側端末部が外嵌される押し込み治具１１でスプリング７が圧縮される方向に押圧し、スプリング７の電極側端末部を導電部材の保持片９ｃ間に圧入する。
【００７８】
次いで、押し込み治具１１に代えてケース４（図７参照）に固定されたバスバー６をスプリング７のバスバー側端末部に挿入し、その後、筒状組み付け治具１０とケースに固定されたバスバー６とを相対的に接近させてバスバー６のスプリング保持部６ａをスプリング７のバスバー側の被保持部７ａの内側に圧入する。
【００７９】
その工程を経た後、回路基板を収容しているケース４を取り付け相手に取り付け、スプリング７で導電部材９を取り付け相手に組み付けられている電気部品３の電極３ａに押し当てる。
【００８０】
以上の工程を経ることで、電気部品３をスプリング７及び導電部材９経由で回路基板上の電気回路に導通させることができる。
【００８１】
上述したように、この発明の電気接続構造によれば、電気部品の電極にスプリングを直接接触させるものはバスバーとスプリングを、電極とスプリング間に導電部材を介在させるものは、バスバーとスプリングと導電部材を連結により一体化して取り扱うことができ、部品の落下が起こる構造で問題となる組み付けの方法の制限がなくなる。
【００８２】
また、ばねとコンタクトプローブとガイドスリーブなどを組み合わせた特殊な接続用アセンブリを使用して電気接続部を構成する構造に比べると部品数が少なくて構造も簡素であり、製造と組み付けの手間の削減、コスト低減の面で有利になる。
【００８３】
なお、ここでの説明は、回路基板上の電気回路に接続する電気部品として圧力センサを例に挙げて行ったが、その電気部品は圧力センサに限定されない。圧力センサ以外のセンサ、例えば、温度センサや磁場センサなどであってもよい。また、スプリングを導体にして必要な電流を流せる電気部品であれば、センサ以外の電気部品の電気接続にも利用することができる。
【符号の説明】
【００８４】
１          液圧ブロック
２          電子制御ユニット
３          電気部品
３ａ        電極
４          ケース
５          回路基板
６          バスバー
６ａ        スプリング保持部
６ｂ        案内部
７          スプリング
７ａ        被保持部
７ｂ        密着巻き部
８          筒状組み付け治具
８ａ        スプリング受け面
９          導電部材
９ａ        被案内部
９ｂ        底壁
９ｃ        保持片
９ｄ        液体排出路
Ｅ          基端
１０        筒状組み付け治具
１０ａ      部材受け面
１１        押し込み治具
【図１】
2013145736.tif 000003
【図２】
2013145736.tif 000004
【図３】
2013145736.tif 000005
【図４】
2013145736.tif 000006
【図５】
2013145736.tif 000007
【図６】
2013145736.tif 000008
【図７】
2013145736.tif 000009
【図８】
2013145736.tif 000010
【図９】
2013145736.tif 000011
【図１０】
2013145736.tif 000012
【図１１】
2013145736.tif 000013
【図１２】
2013145736.tif 000014
【図１３】
2013145736.tif 000015
【図１４】
2013145736.tif 000016